【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
多点入力が可能なマルチタッチ表示部を搭載した情報処理装置であって、
マルチタッチ表示部のタッチ位置の位置情報を取得する取得手段と、
前記取得手段により取得したタッチ位置の位置情報に従って、データが表示される表示領域に貼り付けるデータを、コピー情報として対応付ける領域であるホールド領域がタッチされた状態で、前記表示領域がタッチされていることを検出する検出手段と、
前記検出手段により、前記ホールド領域がタッチされている状態で前記表示領域がタッチされていることが検出され、前記ホールド領域にコピー情報が対応付けられていない場合に、前記表示領域上のタッチがされた位置のデータを、コピー情報として前記タッチされているホールド領域に対応付けるコピー指示が可能なコピー指示部を表示し、
前記検出手段により、前記ホールド領域がタッチされている状態で前記表示領域がタッチされていることが検出され、前記ホールド領域にコピー情報が対応付けられている場合に、前記タッチされているホールド領域に対応付けられたコピー情報を、前記表示領域上のタッチがされた位置に貼り付けるペースト指示が可能なペースト指示部を表示する表示制御手段と
を備えることを特徴とする情報処理装置。
【請求項２】
前記コピー指示は、前記表示領域に表示されたデータのカットの指示であるカット指示を含むことを特徴とする請求項１に記載の情報処置装置。
【請求項３】
前記表示制御手段で表示されたペースト指示部において、前記ペースト指示を受け付けた場合、前記表示領域上のタッチがされた位置に貼り付けるコピー情報を選択するための一覧表示する一覧表示手段
を更に備え、
前記一覧表示手段は、前記タッチされているホールド領域に対応付けられたコピー情報を他のホールド領域に対応付けられたコピー情報に優先して表示するように、前記タッチされているホールド領域に対応付けられたコピー情報と当該他のホールド領域に対応付けられたコピー情報とを合わせて、一覧表示することを特徴とする請求項１又は２に記載の情報処理装置。
【請求項４】
重力方向を検出することにより、本情報処理装置の向きが縦向きであるか横向きであるかを判定する判定手段と、
前記判定手段により本情報処理装置が縦向きであると判定された場合には、当該縦向きの場合のホールド領域の位置情報と、前記取得手段により取得したタッチ位置に基づいて、タッチされているホールド領域を特定し、前記判定手段により本情報処理装置が横向きであると判定された場合には、当該横向きの場合のホールド領域の位置情報と、前記取得手段により取得したタッチ位置に基づいて、タッチされているホールド領域を特定する特定手段と、
前記コピー指示部でコピー指示を受け付けた場合に、前記特定手段で特定された前記ホールド領域に、前記表示領域上のタッチがされた位置のデータを、コピー情報として対応付けて記憶するコピー情報記憶手段と、
前記ペースト指示部でペースト指示を受け付けた場合に、前記特定手段で特定されたホールド領域に対応付けられたコピー情報を、前記表示領域上のタッチがされた位置に貼り付けるペースト手段と、
を備えることを特徴とする請求項１乃至３のいずれか１項に記載の情報処理装置。
【請求項５】
多点入力が可能なマルチタッチ表示部を搭載した情報処理装置における情報処理方法であって、
マルチタッチ表示部のタッチ位置の位置情報を取得する取得工程と、
前記取得工程により取得したタッチ位置の位置情報に従って、データが表示される表示領域に貼り付けるデータを、コピー情報として対応付ける領域であるホールド領域がタッチされた状態で、前記表示領域がタッチされていることを検出する検出工程と、
前記検出工程により、前記ホールド領域がタッチされている状態で前記表示領域がタッチされていることが検出され、前記ホールド領域にコピー情報が対応付けられていない場合に、前記表示領域上のタッチがされた位置のデータを、コピー情報として前記タッチされているホールド領域に対応付けるコピー指示が可能なコピー指示部を表示し、
前記検出工程により、前記ホールド領域がタッチされている状態で前記表示領域がタッチされていることが検出され、前記ホールド領域にコピー情報が対応付けられている場合に、前記タッチされているホールド領域に対応付けられたコピー情報を、前記表示領域上のタッチがされた位置に貼り付けるペースト指示が可能なペースト指示部を表示する表示制御工程と
を含むことを特徴とする情報処理方法。
【請求項６】
多点入力が可能なマルチタッチ表示部を搭載した情報処理装置で読み取り実行されるプログラムであって、
前記情報処理装置を、
マルチタッチ表示部のタッチ位置の位置情報を取得する取得手段と、
前記取得手段により取得したタッチ位置の位置情報に従って、データが表示される表示領域に貼り付けるデータを、コピー情報として対応付ける領域であるホールド領域がタッチされた状態で、前記表示領域がタッチされていることを検出する検出手段と、
前記検出手段により、前記ホールド領域がタッチされている状態で前記表示領域がタッチされていることが検出され、前記ホールド領域にコピー情報が対応付けられていない場合に、前記表示領域上のタッチがされた位置のデータを、コピー情報として前記タッチされているホールド領域に対応付けるコピー指示が可能なコピー指示部を表示し、
前記検出手段により、前記ホールド領域がタッチされている状態で前記表示領域がタッチされていることが検出され、前記ホールド領域にコピー情報が対応付けられている場合に、前記タッチされているホールド領域に対応付けられたコピー情報を、前記表示領域上のタッチがされた位置に貼り付けるペースト指示が可能なペースト指示部を表示する表示制御手段と
して機能させることを特徴とするプログラム。
【手続補正２】
【補正対象書類名】明細書
【補正対象項目名】００１３
【補正方法】変更
【補正の内容】
【００１３】
そこで、本発明は、複数個所のタッチを同時検出可能なタッチパネル表示部を用いて、コピーすべき情報を識別して記憶でき、当該識別して記憶されたコピーすべき情報があるか否かにより、操作できない指示部の表示によるユーザの誤操作を防止する仕組みを提供することを目的とする。
【手続補正３】
【補正対象書類名】明細書
【補正対象項目名】００１４
【補正方法】変更
【補正の内容】
【００１４】
本発明は、多点入力が可能なマルチタッチ表示部を搭載した情報処理装置であって、マルチタッチ表示部のタッチ位置の位置情報を取得する取得手段と、前記取得手段により取得したタッチ位置の位置情報に従って、データが表示される表示領域に貼り付けるデータを、コピー情報として対応付ける領域であるホールド領域がタッチされた状態で、前記表示領域がタッチされていることを検出する検出手段と、前記検出手段により、前記ホールド領域がタッチされている状態で前記表示領域がタッチされていることが検出され、前記ホールド領域にコピー情報が対応付けられていない場合に、前記表示領域上のタッチがされた位置のデータを、コピー情報として前記タッチされているホールド領域に対応付けるコピー指示が可能なコピー指示部を表示し、前記検出手段により、前記ホールド領域がタッチされている状態で前記表示領域がタッチされていることが検出され、前記ホールド領域にコピー情報が対応付けられている場合に、前記タッチされているホールド領域に対応付けられたコピー情報を、前記表示領域上のタッチがされた位置に貼り付けるペースト指示が可能なペースト指示部を表示する表示制御手段とを備えることを特徴とする。
【手続補正４】
【補正対象書類名】明細書
【補正対象項目名】００１５
【補正方法】変更
【補正の内容】
【００１５】
前記コピー指示は、前記表示領域に表示されたデータのカットの指示であるカット指示を含むことを特徴とする。
【手続補正５】
【補正対象書類名】明細書
【補正対象項目名】００１６
【補正方法】変更
【補正の内容】
【００１６】
本発明は、前記表示制御手段で表示されたペースト指示部において、前記ペースト指示を受け付けた場合、前記表示領域上のタッチがされた位置に貼り付けるコピー情報を選択するための一覧表示する一覧表示手段を更に備え、前記一覧表示手段は、前記タッチされているホールド領域に対応付けられたコピー情報を、他のホールド領域に対応付けられたコピー情報に優先して、当該他のホールド領域に対応付けられたコピー情報と合わせて、一覧表示することを特徴とする。
【手続補正６】
【補正対象書類名】明細書
【補正対象項目名】００１７
【補正方法】変更
【補正の内容】
【００１７】
本発明は、重力方向を検出することにより、本情報処理装置の向きが縦向きであるか横向きであるかを判定する判定手段と、前記判定手段により本情報処理装置が縦向きであると判定された場合には、当該縦向きの場合のホールド領域の位置情報と、前記取得手段により取得したタッチ位置とから、タッチされているホールド領域を特定し、前記判定手段により本情報処理装置が横向きであると判定された場合には、当該横向きの場合のホールド領域の位置情報と、前記取得手段により取得したタッチ位置とから、タッチされているホールド領域を特定する特定手段と、前記コピー指示を受け付けた場合に、前記特定手段で特定された前記ホールド領域に、前記表示領域上のタッチがされた位置のデータを、コピー情報として対応付けて記憶するコピー情報記憶手段と、前記ペースト指示を受け付けた場合に、前記特定手段で特定されたホールド領域に対応付けられたコピー情報を、前記表示領域上のタッチがされた位置に貼り付けるペースト手段と、を備えることを特徴とする。
【手続補正７】
【補正対象書類名】明細書
【補正対象項目名】００１８
【補正方法】変更
【補正の内容】
【００１８】
本発明は、多点入力が可能なマルチタッチ表示部を搭載した情報処理装置における情報処理方法であって、マルチタッチ表示部のタッチ位置の位置情報を取得する取得工程と、前記取得工程により取得したタッチ位置の位置情報に従って、データが表示される表示領域に貼り付けるデータを、コピー情報として対応付ける領域であるホールド領域がタッチされた状態で、前記表示領域がタッチされていることを検出する検出工程と、前記検出工程により、前記ホールド領域がタッチされている状態で前記表示領域がタッチされていることが検出され、前記ホールド領域にコピー情報が対応付けられていない場合に、前記表示領域上のタッチがされた位置のデータを、コピー情報として前記タッチされているホールド領域に対応付けるコピー指示が可能なコピー指示部を表示し、前記検出工程により、前記ホールド領域がタッチされている状態で前記表示領域がタッチされていることが検出され、前記ホールド領域にコピー情報が対応付けられている場合に、前記タッチされているホールド領域に対応付けられたコピー情報を、前記表示領域上のタッチがされた位置に貼り付けるペースト指示が可能なペースト指示部を表示する表示制御工程とを含むことを特徴とする。
【手続補正８】
【補正対象書類名】明細書
【補正対象項目名】００１９
【補正方法】変更
【補正の内容】
【００１９】
本発明は、多点入力が可能なマルチタッチ表示部を搭載した情報処理装置で読み取り実行されるプログラムであって、前記情報処理装置を、マルチタッチ表示部のタッチ位置の位置情報を取得する取得手段と、前記取得手段により取得したタッチ位置の位置情報に従って、データが表示される表示領域に貼り付けるデータを、コピー情報として対応付ける領域であるホールド領域がタッチされた状態で、前記表示領域がタッチされていることを検出する検出手段と、前記検出手段により、前記ホールド領域がタッチされている状態で前記表示領域がタッチされていることが検出され、前記ホールド領域にコピー情報が対応付けられていない場合に、前記表示領域上のタッチがされた位置のデータを、コピー情報として前記タッチされているホールド領域に対応付けるコピー指示が可能なコピー指示部を表示し、前記検出手段により、前記ホールド領域がタッチされている状態で前記表示領域がタッチされていることが検出され、前記ホールド領域にコピー情報が対応付けられている場合に、前記タッチされているホールド領域に対応付けられたコピー情報を、前記表示領域上のタッチがされた位置に貼り付けるペースト指示が可能なペースト指示部を表示する表示制御手段として機能させることを特徴とする。
【手続補正９】
【補正対象書類名】明細書
【補正対象項目名】００２０
【補正方法】変更
【補正の内容】
【００２０】
本願発明によれば、複数個所のタッチを同時検出可能なタッチパネル表示部を用いて、コピーすべき情報を識別して記憶でき、当該識別して記憶されたコピーすべき情報があるか否かにより、操作できない指示部の表示によるユーザの誤操作を防止することが可能と
なる。